(57)【要約】【課題】            ガス溜まりによる隙間が発生しない、固定部品との結合強度を高く維持できる高品質のダイキャスト部品を得る。【解決手段】        スリーブ１８の一端に半径方向に張出す鍔１９を有する金属製の軸固定部品１６をアルミニウムのフレーム構造１７にダイキャストにより一体化した回転子部品を備え、軸固定部品１６の鍔１９にダイキャスト時に軸方向に湯を導通させる通路２０を設ける。また、通路２０を軸固定部品１６の鍔１９の外周に数個間隔をおいて設ける。あるいは、通路２０を軸固定部品１６の鍔１９を貫通する構成とする。【選択図】          図２
2007129870.tif 000002
【特許請求の範囲】
【請求項１】
スリーブの一端に半径方向に張出す鍔を有する金属製の固定部品をアルミニウムのフレーム構造にダイキャストにより一体化したダイキャスト部品であって、前記固定部品の前記鍔にダイキャスト時に軸方向に湯を導通させる通路を設けたダイキャスト部品。
【請求項２】
請求項１に記載のダイキャスト部品であって、固定部品のスリーブと鍔とで形成される入隅部分をＲ形状としたダイキャスト部品。
【請求項３】
スリーブの一端に半径方向に張出す鍔を有する金属製の軸固定部品をアルミニウムのフレーム構造にダイキャストにより一体化した回転子部品を備え、前記軸固定部品の前記鍔にダイキャスト時に軸方向に湯を導通させる通路を設けたアウターロータ型誘導電動機。
【請求項４】
請求項３に記載のアウターロータ型誘導電動機であって、通路を軸固定部品の鍔の外周に数個間隔をおいて設けたアウターロータ型誘導電動機。
【請求項５】
請求項３に記載のアウターロータ型誘導電動機であって、通路を軸固定部品の鍔を貫通する構成としたアウターロータ型誘導電動機。
【請求項６】
スリーブの一端に半径方向に張出す鍔を有する金属製の軸固定部品をアルミニウムのフレーム構造にダイキャストにより一体化した回転子部品を備え、前記軸固定部品の前記鍔にダイキャスト時に軸方向に湯を導通させる通路を設けたアウターロータ型誘導電動機によって羽根車を駆動させるようにした換気扇。
【発明の詳細な説明】
【技術分野】
【０００１】
本発明は、金属製の固定部品をアルミニウムのフレーム構造に一体化したダイキャスト部品、そうした構成を有するアウターロータ型誘導電動機、その電動機で駆動する換気扇に関するものである。
【背景技術】
【０００２】
金属製の固定部品をアルミニウムのフレーム構造に一体化したダイキャスト部品を使ったものに回転電機の回転子等がある。特に、アウターロータ型の回転子をもつ誘導電動機や発電機では軸に結合する部分に金属製の軸固定部品を一体化したアルミダイキャスト部品が広く使われている。なお、この種の従来技術としては特許文献１に示されているものがある。
【０００３】
【特許文献１】特開２００２−３６９４２３号公報
【発明の開示】
【発明が解決しようとする課題】
【０００４】
この種のダイキャスト部品は、回転軸を固着、あるいは回転軸に固定される固定部品をフレーム構造に強固に結合させることが必要で、スリーブ状の固定部品に回り止めの溝や、抜け止めの溝を設け、アルミニウムが溝に嵌入する構成が採られ、さらにスリーブの一端には回り止めのための四角形や六角形の鍔が設けられている。アウターロータ型の誘導電動機の回転子では、回転子に遠心力が大きく掛かり、軸が片持ち構造となるため固定部品に高い結合強度が要求される。
【０００５】
しかし、現状ではアルミニウムと固定部品の結合強度が低く、回転子の機械的強度が満足できないものがある。従って、面倒でも製品全てについて検査を行い品質管理をしている。アルミニウムと固定部品の結合強度が低下する原因は、ダイキャスト成形時、流動アルミニウムが固定部品の鍔に当たるとき、湯の流れ方向の変化に伴って発生するガス巻込みにより固定部品との接触面積の減少、及びこの際の抵抗が起因して生ずる流速低下による充填密度の低下である。
【０００６】
この経緯を断面にして示す図１０によって説明する。ゲート１から流動アルミニウムがキャビティ２に流れ込み、固定部品側についてはスリーブ３に沿って流動する。スリーブ３の基部にある鍔４により流れの方向が略９０度変わり流れ５となり、ゲート１から遅れて流れ出した流れ６と衝突する。遅れて流れ出した流れ６は圧力が高く、流れ５の向きを略１８０度変え、この部分に乱流７が発生しガスを巻込む。このガスは、流れ６によって、ガス溜まり位置まで押され、逃げ場を失いガス溜まり８となってこの部分に残る。このガス溜まり８が固定部品９とアルミニウムとの間に隙間となって結合強度を低下させている。
【０００７】
本発明は、上記した課題を解決するためになされたものであり、その目的とするところは、ガス溜まりによる隙間が発生しない、固定部品との結合強度を高く維持できる高品質のダイキャスト部品を得ることであり、そのダイキャスト部品を備えた品質の良いアウターロータ型誘導電動機を得ることであり、高品質な換気扇を得ることである。
【課題を解決するための手段】
【０００８】
上記課題を解決するために本発明は、スリーブの一端に半径方向に張出す鍔を有する金属製の固定部品をアルミニウムのフレーム構造にダイキャストにより一体化したダイキャスト部品について、固定部品の鍔にダイキャスト時に軸方向に湯を導通させる通路を設ける手段を採用する。
【０００９】
また、他の発明は、スリーブの一端に半径方向に張出す鍔を有する金属製の軸固定部品をアルミニウムのフレーム構造にダイキャストにより一体化した回転子部品を備え、軸固定部品の鍔にダイキャスト時に軸方向に湯を導通させる通路を設ける手段を採用する。
【００１０】
さらに、他の発明は、スリーブの一端に半径方向に張出す鍔を有する金属製の軸固定部品をアルミニウムのフレーム構造にダイキャストにより一体化した回転子部品を備え、軸固定部品の鍔にダイキャスト時に軸方向に湯を導通させる通路を設けたアウターロータ型誘導電動機によって羽根車を駆動させるようにする手段を採用する。
【発明の効果】
【００１１】
本発明によれば、ダイキャスト時にアルミニウムの湯を導通させる通路がある鍔付きの固定部品により湯が鍔を通り抜けるため、ガスの巻込みがなく、これにより隙間のない固定部品との結合強度を高く維持できる高品質のダイキャスト部品が得られる。また、ダイキャスト部品を備えた品質の良いアウターロータ型誘導電動機や、高品質な小型の換気扇が得られる。
【発明を実施するための最良の形態】
【００１２】
本発明のアウターロータ型誘導電動機は、固定子の外側で回転する回転子を備えている。回転子は、回転軸を結合する金属製の軸固定部品を、磁気回路を構成するアルミニウムのフレーム構造にダイキャストにより一体化した回転子部品を有する。軸固定部品は、スリーブの一端に半径方向に張出す鍔を持っている。軸固定部品の鍔には、その外周にスリーブに沿うＵ字断面の通路が六個、等間隔に形成されている。この通路は、ダイキャスト時に軸方向に湯を導通させる通路である。従って、成形後の回転子部品の鍔に形成された通路にはアルミニウムが充填されている。
【００１３】
ダイキャスト時にゲートから流動アルミニウムがキャビティに流れ込み、軸固定部品側についてはスリーブに沿って流動する。アルミニウムは直線的に流れる特性があり、鍔側へ流れる湯は主に鍔に設けられた通路により直線的に進む。一部の湯は鍔に沿って略９０度方向が変わって流れるが、乱流を発生させる程の流れではない。キャビティ内のガスは乱流に巻込まれることなく、金型の隙間のガス抜きから抜けていく。これによりガスの巻込みがもとでできる隙間のない、軸固定部品との結合強度を高く維持できる品質の良いアウターロータ型誘導電動機となる。このアウターロータ型誘導電動機で羽根車を駆動させる換気扇は高品質なものとなる。
【００１４】
実施の形態１．
図１〜９図によって示す本実施の形態は換気扇に関するものである。図１は、換気扇の断面図、図２はアウターロータ型誘導電動機の断面図、図３は、図２のＩＩ部の拡大図、図４は軸固定部品の側面図、図５〜図８は、各種の通路の形態を示す軸固定部品の側面図、図９は、ダイキャスト成形時の湯の挙動を示す断面図である。
【００１５】
本実施の形態の換気扇１０は、アウターロータ型誘導電動機１１で羽根車１２を駆動するものである。アウターロータ型誘導電動機１１は、図２に示すように固定子１３の外側で回転する回転子１４を備えている。回転子１４は、回転軸１５を結合する金属製の軸固定部品１６を、磁気回路を構成するアルミニウムのフレーム構造１７にダイキャストにより一体化した回転子部品を有する。軸固定部品１６は、スリーブ１８の一端に半径方向に張出す鍔１９を持っている。軸固定部品１６の鍔１９には、その外周にスリーブ１８に沿うＵ字断面の通路２０が六個、等間隔に形成されている。この通路２０は、ダイキャスト時に軸方向に湯を導通させる通路である。従って、成形後の回転子部品の通路２０にはアルミニウムが充填されている。
【００１６】
軸固定部品１６のスリーブ１８と鍔１９とで形成される入隅部分２１は、Ｒ３．０〜Ｒ１．０程度のＲ形状が付けられている。鍔１９の通路２０は、図７のように外周からスリーブ１８に達する深さが湯の直線的な流れを作る上で好ましいが、スリーブ１８から底が若干上がっていても入隅部分２１が湯の流れ易いＲ形状であるので構わない。その数も六個に限らず、複数間隔を略等しく形成すれば良い。通路２０の断面形状は、湯の抵抗の少ない図４や図５に示すような円弧形状やＵ字状が好ましいが、図６のようにＶ字状でも良い。また、通路２０を図８のように鍔を貫く貫通孔２２やスリットにすることもできる。
【００１７】
ダイキャスト時に図９に示すように、ゲート１から流動アルミニウムがキャビティ２に流れ込み、軸固定部品１６側についてはスリーブ１８に沿って流動する。アルミニウムは直線的に流れる特性があり、鍔１９側へ流れる湯は主に鍔１９に設けられた通路２０により直線的に進む。一部の湯は入隅部分２１に導かれ鍔１９に沿って略９０度方向が変わって流れるが、乱流を発生させる程の流れではない。キャビティ２内のガスは乱流に巻込まれることなく、金型の隙間のガス抜きから抜けていく。これによりガスの巻込みがもとでできる隙間のない、軸固定部品１６との結合強度の高い品質の良い回転子部品を持つアウターロータ型誘導電動機１１となる。このアウターロータ型誘導電動機１１を使った換気扇１０も回転軸１５のがたつきのない品質の高いものとなる。品質検査も抜取検査で済み、生産性が向上し、コストが低減する。
【図面の簡単な説明】
【００１８】
【図１】換気扇の断面図である。（実施の形態１）
【図２】アウターロータ型誘導電動機の断面図である。（実施の形態１）
【図３】図２のＩＩ部の拡大図である。（実施の形態１）
【図４】軸固定部品の側面図である。（実施の形態１）
【図５】軸固定部品の側面図である。（実施の形態１）
【図６】軸固定部品の側面図である。（実施の形態１）
【図７】軸固定部品の側面図である。（実施の形態１）
【図８】軸固定部品の側面図である。（実施の形態１）
【図９】ダイキャスト成形時の湯の挙動を示す断面図である。（実施の形態１）
【図１０】従来におけるダイキャスト成形時の湯の挙動を示す断面図である。
【符号の説明】
【００１９】
１０  換気扇、  １１  アウターロータ型誘導電動機、  １２  羽根車、  １３  固定子、  １４  回転子、  １６  軸固定部品、  １７  フレーム構造、  １８  スリーブ、  １９  鍔、  ２０  通路、  ２１  入隅部分、  ２２  貫通孔。
【図１】
2007129870.tif 000003
【図２】
2007129870.tif 000004
【図３】
2007129870.tif 000005
【図４】
2007129870.tif 000006
【図５】
2007129870.tif 000007
【図６】
2007129870.tif 000008
【図７】
2007129870.tif 000009
【図８】
2007129870.tif 000010
【図９】
2007129870.tif 000011
【図１０】
2007129870.tif 000012